Podtech/llm-jp-corpus-v4-ja_patent huggingface dataset:
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
衣類のボタンホールに挿入されるように構成されるボタン部材であって、前記ボタン部材は前壁、後壁及びそれらの間に配置される側壁を備え、前記ボタン部材は、前記後壁の一部及び前記側壁の一部から延びる開口部、並びに前記開口部と連通する内部チャンバを画定する、ボタン部材と、
前記開口部を通って延在し、前記内部チャンバに連結される２つの対向する端部を有し、それによって、前記ボタン部材の外側で少なくとも部分的に延びて、前記衣類のボタンを受け入れるように構成されるループを画定する弾性部材であって、前記開口部は、前記弾性部材が前記側壁の前記一部に当接することなく前記後壁の前記一部に当接する後方姿勢から、前記弾性部材が前記後壁の前記一部に当接することなく前記側壁の前記一部に当接する前方姿勢までの、前記弾性部材の運動を可能にする寸法である、弾性部材とを備え、
前記弾性部材は、前記ボタン部材の内側部分に又は前記内部チャンバ内に接着される、衣類ファスニングシステム。
【請求項２】
前記開口部は、前記後壁に画定される第１部分と、前記側壁に画定される第２部分とを有し、前記第１部分は、前記第２部分の表面積よりも大きい表面積を有する、請求項１に記載のシステム。
【請求項３】
前記開口部が有する表面積の６０％を超える部分が前記後壁に画定される、請求項１に記載のシステム。
【請求項４】
前記開口部が有する表面積の８０％を超える部分が前記後壁に画定される、請求項１に記載のシステム。
【請求項５】
前記ボタン部材は、全体的にディスク形状を有する、請求項１に記載のシステム。
【請求項６】
前記前壁は、ほぼ平坦である、請求項１に記載のシステム。
【請求項７】
前記後壁は、凸状である、請求項６に記載のシステム。
【請求項８】
前記後壁は、凸状である、請求項１に記載のシステム。
【請求項９】
前記弾性部材は、伸縮する部材である、請求項１に記載のシステム。
【請求項１０】
前記ボタン部材は、本質的に一体に構成される、請求項１に記載のシステム。
【請求項１１】
前記弾性部材は、前記内部チャンバ内に接着される、請求項１に記載のシステム。
【請求項１２】
前記開口部が有する表面積の７０％を超える部分が前記後壁に画定される、請求項１１に記載のシステム。
【請求項１３】
前記内部チャンバの直径は、前記弾性部材の直径の約２．１倍から約２．５倍である、請求項１に記載のシステム。
【請求項１４】
請求項１に定義された衣類ファスニングシステムを製造する方法であって、
前記弾性部材を、前記内部チャンバに挿入するステップと、
前記弾性部材を、前記弾性部材が前記後壁の前記一部に当接する前記後方姿勢へ回動させるステップと、
前記弾性部材を内側部分と接着するために、前記内側部分に接着材を挿入するステップとを含み、
前記接着材を挿入するステップは、当該方法の間いつでも実施できる、衣類ファスニングシステムを製造する方法。
【請求項１５】
前記弾性部材を前記後方姿勢へ回動させた後に、前記接着材を挿入する、請求項１４に記載の方法。
【請求項１６】
前記弾性部材が前記後方姿勢にあるときに前記接着材は塗布され、
前記弾性部材が前記後方姿勢にあるときに前記前壁の一部から離れている前記弾性部材の部分であって、かつ前記弾性部材が前記前方姿勢にあるときに前記前壁の前記一部に当接する前記弾性部材の部分に、前記接着材の少なくとも一部を塗布する、請求項１５に記載の方法。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
被験者の一部のスペクトル投影画像を解析するステップ、
前記スペクトル投影画像の関心領域における標的固有の造影剤の量を数値化する値を生成するステップ、及び
既定のしきい値レベルを満たす前記値に応答して、前記標的の存在を示す信号を生成するステップ、
を有する方法。
【請求項２】
前記標的固有の造影剤はＫエッジ材料を含み、前記信号は、前記値が前記既定のしきい値レベルを満たすとき、Ｋエッジ材料の存在を示している、請求項１に記載の方法。
【請求項３】
前記信号は、前記値が前記既定のしきい値レベルを満たさないとき、Ｋエッジ材料が無いことを示している、請求項２に記載の方法。
【請求項４】
前記標的固有の造影剤は、心臓血管系にある破綻したプラークを標的とし、前記信号は、前記値が前記既定のしきい値レベルを満たすとき、破綻したプラークの存在を示している、請求項１、２又は３に記載の方法。
【請求項５】
前記値は、ピクセル強度を示している請求項１乃至４の何れか一項に記載の方法。
【請求項６】
前記スペクトル投影画像又は前記信号の少なくとも１つに基づいて、前記被験者の行動方針を勧める推薦を生成するステップ、をさらに有する請求項１乃至５の何れか一項に記載の方法。
【請求項７】
前記推薦は、前記被験者に対する後続する医療又は撮像検査の自動的なスケジューリングを実行する、請求項６に記載の方法。
【請求項８】
前記スペクトル投影画像、及び前記値、前記しきい値、前記信号又は前記推薦の少なくとも１つを同時に表示するステップ
をさらに有する請求項６又は７に記載の方法。
【請求項９】
前記スペクトル投影画像又は前記信号の少なくとも１つに基づいて、前記関心領域の後続する投影スキャンを計画するステップ
をさらに有する請求項１乃至８の何れか一項に記載の方法。
【請求項１０】
前記スペクトル投影画像又は前記信号の少なくとも１つに基づいて、前記関心領域の後続するボリュームスキャンを計画するステップ
をさらに有する請求項１乃至９の何れか一項に記載の方法。
【請求項１１】
前記スペクトル投影画像又は前記信号の少なくとも１つに基づいて、前記患者に対する医療処置を計画するステップ
をさらに有する請求項１乃至１０の何れか一項に記載の方法。
【請求項１２】
前記スペクトル投影画像又は前記信号の少なくとも１つに基づいて、前記被験者の胸痛の鑑別診断を行うステップ
をさらに有する請求項１乃至１１の何れか一項に記載の方法。
【請求項１３】
前記被験者のコントラスト強調した投影スキャン中に取得される投影データを少なくともＫエッジ成分に分解するステップ、及び
前記Ｋエッジ成分を再構成して、前記スペクトル投影画像を生成するステップ、
をさらに有する請求項１２に記載の方法。
【請求項１４】
前記投影データをコンプトン成分及び光電成分に分解するステップ、並びに
前記コンプトン成分及び前記光電成分を再構成して、コンプトン成分の投影画像及び光電成分の投影画像を生成するステップ、
をさらに有する請求項１３に記載の方法。
【請求項１５】
被験者の一部のスペクトル投影画像を解析し、前記スペクトル投影画像の関心領域における標的固有の造影剤の量を数値化する値を生成する解析器、及び
前記値を既定のしきい値レベルと比較し、前記標的固有の造影剤が前記スペクトル投影画像に存在しているかを示す信号を生成する処理構成要素
を有するシステム。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
複数の細孔を有して水を濾過する網状発泡フィルタエレメントであって、該網状発泡フィルタエレメントの前記細孔の内部に複数の生物有機体を保持した状態で使用可能な網状発泡フィルタエレメントにおいて、
前記網状発泡フィルタエレメントによって濾過された水を集める収集タンク、及び
前記収集タンクと流体連通してフィルタからの水を分配するフィルタ出口、を有するフィルタにおいて、
前記網状発泡フィルタエレメントは、前記網状発泡フィルタエレメント内での単位体積当たりのストランドの数を増加するように高密度化され、
前記網状発泡フィルタエレメントは、前記網状発泡フィルタエレメント内の生物有機体に滋養を提供するように前記網状発泡フィルタエレメントの製造中に１つ以上の細孔内に位置する栄養素を含むことを特徴とするフィルタ。
【請求項２】
前記網状発泡フィルタエレメントは医療グレード発泡体を具備することを特徴とする請求項１に記載のフィルタ。
【請求項３】
前記医療グレード発泡体は医療グレードのポリウレタン発泡体であることを特徴とする請求項２に記載のフィルタ。
【請求項４】
前記網状発泡フィルタエレメントの細孔密度は、１センチ当たりの細孔数が１１個（１インチ当たりの細孔数が７０個）よりも大きいことを特徴とする請求項３に記載のフィルタ。
【請求項５】
前記網状発泡フィルタエレメントの厚さは、２．５４ｃｍ（１インチ）未満であることで、前記網状発泡フィルタエレメントが使用中に嫌気性にならないことを特徴とする請求項４に記載のフィルタ。
【請求項６】
前記網状発泡フィルタエレメントは放射流発泡フィルタエレメントであることを特徴とする請求項５に記載のフィルタ。
【請求項７】
前記網状発泡フィルタエレメントは少なくとも２つの放射流発泡フィルタエレメントを備え、該少なくとも２つの放射流発泡フィルタエレメントはフィルタ出口に接続されていることを特徴とする請求項６に記載のフィルタ。
【請求項８】
前記放射流発泡フィルタエレメントは１つ以上の発泡層を備え、該発泡層の少なくとも２つは、異なる細孔径、異なる厚さ、及び異なる発泡方式の内の少なくとも１つを有することを特徴とする請求項７に記載のフィルタ。
【請求項９】
水を処理するための機能層を備えることを特徴とする請求項１に記載のフィルタ。
【請求項１０】
前記網状発泡フィルタエレメントは、炭素、ＰＨ調整発泡体、食品、ミネラルを充填した発泡体、及び乾燥有機体の内の少なくとも１つを備えることを特徴とする請求項１に記載のフィルタ。
【請求項１１】
前記網状発泡フィルタエレメントは螺旋状に巻かれた１枚の発泡体であることを特徴とする請求項１に記載のフィルタ。
【請求項１２】
前記網状発泡フィルタエレメントは積層型発泡フィルタエレメントであり、収集タンクは、前記積層型発泡フィルタエレメントに隣接配置されるパイプであることを特徴とする請求項５に記載のフィルタ。
【請求項１３】
前記パイプは、少なくとも１つのパイプ入口と前記フィルタ出口を有し、
前記積層型発泡フィルタエレメントは前記少なくとも１つのパイプ入口の上に適合され、
前記フィルタは、前記積層型発泡フィルタエレメントを介して水を送り、前記少なくとも１つのパイプ入口に到達させ、前記少なくとも１つのパイプ入口を介してパイプ内へと水を送り、前記フィルタ出口を介してフィルタの外へと水を送るようになっていることを特徴とする請求項１２に記載のフィルタ。
【請求項１４】
前記パイプは複数のパイプ入口と複数のパイプ出口を有し、前記積層型発泡フィルタエレメントは複数の積層発泡層を備え、該積層発泡層は互いに対して隔てられ、各積層発泡層は少なくとも１つのパイプ入口の上に適合され、少なくとも１つのパイプ出口は隣接する積層発泡層間に位置し、
前記フィルタは、連続する各パイプ出口を介してパイプの外へ水を送り、連続する各積層発泡層を通り、連続する各パイプ入口を介してパイプ内へ水を戻すようになっており、
それによって水は、フィルタから分配される前に、各積層発泡層を通って移動することを特徴とする請求項１２に記載のフィルタ。
【請求項１５】
前記パイプは複数のパイプ入口と複数のパイプ出口を有し、前記積層型発泡フィルタエレメントは複数の積層発泡層を備え、該積層発泡層は互いに対して隔てられ、各積層発泡層は少なくとも１つのパイプ入口の上に適合され、少なくとも１つのパイプ出口は隣接する積層発泡層間に位置し、
前記フィルタは、前記パイプ出口の１つを介してパイプの外へ水を送り、前記積層型発泡フィルタエレメントの１つを通り、前記パイプ入口の１つを介してパイプ内へ水を戻し、前記フィルタ出口を介してフィルタ外へと水を流すようになっており、
それによって水は、フィルタから分配される前に、唯１つある積層発泡層を通って移動することを特徴とする請求項１２に記載のフィルタ。
【請求項１６】
前記パイプは少なくとも２つの積層発泡層を有し、第１の積層発泡層は前記少なくとも１つのパイプ入口の第１の側に位置し、第２の積層発泡層は前記少なくとも１つのパイプ入口の対向する第２の側に位置し、前記フィルタは、各積層発泡層を介して水をフィルタ内に送り、前記少なくとも１つのパイプ入口を介してパイプ内へ水を送り、前記フィルタ出口を介してフィルタの外へと水を流すようになっていることを特徴とする請求項１２に記載のフィルタ。
【請求項１７】
放射流発泡フィルタエレメントであると共に医療グレード発泡体を備えた網状発泡フィルタエレメント、
前記網状発泡フィルタエレメントを通る流量を制御する制限オリフィス、
複数の細孔と、１平方センチ当たり１２個（１平方インチ当たり８０個）〜１平方センチ当たり１９個（平方インチ当たり１２０個）の細孔の細孔密度を有する発泡フィルタエレメント、
生物有機体を誘引するための栄養素を含む前記発泡フィルタエレメント、及び
２．５４ｃｍ（１インチ）以下の厚さをもつ前記発泡フィルタエレメント、を有し、
前記栄養素は、前記網状発泡フィルタエレメント内の生物有機体に滋養を提供するように前記網状発泡フィルタエレメントの製造中に前記複数の細孔内に位置していることを特徴とするフィルタ。
【請求項１８】
前記発泡フィルタエレメントは１つ以上の発泡層を備えることを特徴とする請求項１７に記載のフィルタ。
【請求項１９】
前記制限オリフィスは、前記発泡フィルタエレメントの表面積１平方センチメートル当たり毎分約０．８ミリリットルと毎分１．２ミリリットルの間の最大値まで流量を制限することを特徴とする請求項１７に記載のフィルタ。
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
身体パフォーマンスを向上させるために用いられる装置の作動方法であって、
前記装置が、最大の身体活動の前の健常な対象のための非侵襲的電気神経刺激を行うこと、を含む、方法。
【請求項２】
非侵襲的電気神経刺激が、前記身体活動前２４時間以内に行われる、請求項１に記載の方法。
【請求項３】
非侵襲的電気神経刺激が、前記身体活動前２時間以内に行われる、請求項１に記載の方法。
【請求項４】
非侵襲的電気神経刺激が、前記身体活動前２０分以内に行われる、請求項１に記載の方法。
【請求項５】
非侵襲的電気神経刺激が、神経刺激期間とそれに続く休止期間を１サイクルとして１サイクル、２サイクル、３サイクル、４サイクルまたは５サイクルを含む、請求項１〜４のいずれか一項に記載の方法。
【請求項６】
前記神経刺激期間の持続時間が、１分、２分、３分、４分、５分、６分、７分、８分、９分、１０分、１５分、２０分、２５分または３０分以下である、請求項５に記載の方法。
【請求項７】
前記休止期間の持続時間が、１分、２分、３分、４分、または５分である、請求項５または６に記載の方法。
【請求項８】
前記非侵襲的電気神経刺激が、５分の神経刺激期間とそれに続く休止期間を１サイクルとして１サイクルである、請求項５に記載の方法。
【請求項９】
前記非侵襲的電気神経刺激が、５分の神経刺激期間とそれに続く５分の休止期間を１サイクルとして４サイクルまたは５サイクルである、請求項５に記載の方法。
【請求項１０】
前記対象がヒトである、請求項１〜９のいずれか一項に記載の方法。
【請求項１１】
前記健常な対象がアンギナを有していない、請求項１〜１０のいずれか一項に記載の方法。
【請求項１２】
前記非侵襲的電気神経刺激が経皮的に行われる、請求項１〜１１のいずれか一項に記載の方法。
【請求項１３】
前記非侵襲的電気神経刺激が腕または脚で行われる、請求項１〜１２のいずれか一項に記載の方法。
【請求項１４】
前記装置が、遠隔虚血コンディショニングを、前記身体の２つの別々の位置で重複してまたは交互に行うこと、をさらに含む、請求項１〜１３のいずれか一項に記載の方法。
【請求項１５】
前記装置が、非侵襲的電気神経刺激および遠隔虚血コンディショニングの両方を行うためのハイブリッド装置である、請求項１〜１４のいずれか一項に記載の方法。
【請求項１６】
前記ハイブリッド装置は、少なくとも２つの電極、少なくとも１つのカフ、１つまたは複数のコントローラ、および電源装置、を備える、請求項１５に記載の方法。
【請求項１７】
身体パフォーマンスを向上させるために用いられる装置であって、
前記装置は、健常な対象に最大の身体活動の前に非侵襲的電気神経刺激を行うこと、を含む装置。
【請求項１８】
前記装置は、非侵襲的電気神経刺激および遠隔虚血コンディショニングの両方を行うためのハイブリッド装置である、請求項１７に記載の装置。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
フィルムを供給し、
各々が前記フィルムの表面上に配置されるコンタクトを持つ、複数の発光素子を前記フィルム上に付加し、
１又は複数の前記発光素子からの光を所望の光出力方向に反射するように、前記フィルム上に複数の反射性構造を付加し、
前記反射性構造を対応する１又は複数の前記発光素子に取り付けるように、前記反射性構造内にカプセル化材料を付加し、
各反射性構造に取り付けられた１又は複数の前記発光素子を有する発光装置を供給するために、前記複数の反射性構造を単一化し、
前記カプセル化材料を付加した後に前記フィルムを除去して、前記発光素子の各々の前記コンタクトを露出させる、方法。
【請求項２】
前記フィルムに取り付けられた前記反射性構造の表面から材料を除去することを含む、請求項１記載の方法。
【請求項３】
平面を形成するために、前記カプセル化材料の光出力表面を成形することを含む、請求項１記載の方法。
【請求項４】
非平面を形成するために、前記カプセル化材料の光出力表面を成形することを含む、請求項１記載の方法。
【請求項５】
前記複数の反射性構造を前記フィルムに付加することが、前記複数の反射性構造を有するフレームを前記フィルムに取り付けることを含む、請求項１記載の方法。
【請求項６】
前記複数の反射性構造を前記フィルムに付加することが、前記複数の反射性構造を前記フィルム上に形成することを含む、請求項１記載の方法。
【請求項７】
前記フィルム上の前記複数の反射性構造が、前記複数の発光素子を前記フィルム上に置くための基準を供給する、請求項１記載の方法。
【請求項８】
複数の波長変換素子を付加することを含む、請求項１記載の方法。
【請求項９】
フィルムと、
各々が前記フィルムの表面上に配置されるコンタクトを持つ、前記フィルム上の複数の発光素子と、
１又は複数の前記発光素子からの光を所望の光出力方向に反射するように、前記フィルム上に配置された複数の反射性構造と、
前記反射性構造を通じて延在する開口内に、対応する１又は複数の前記発光素子を取り付ける、前記反射性構造内のカプセル化材料と、を有し、
前記発光素子への電気的結合を機能させるために、前記発光素子の各々からの前記フィルムの除去が、前記発光素子の前記コンタクトを露出させる、構造体。
【請求項１０】
前記カプセル化材料の光出口表面が、平面である、請求項９記載の構造体。
【請求項１１】
前記カプセル化材料の光出口表面が、非平面である、請求項９記載の構造体。
【請求項１２】
複数の波長変換素子を含む、請求項９記載の構造体。
【請求項１３】
前記複数の発光素子が、前記フィルムの表面上にあるコンタクトを含む、請求項９記載の構造体。
【請求項１４】
前記複数の反射性構造が、前記フィルムの表面上に配置された表面層を含み、前記表面層は、前記表面層の除去を促進する材料を有する、請求項９記載の構造体。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
基板と反対側に上面を持ち、前記上面においてアクセス可能な少なくとも第１及び第２の電極を含む発光構造を前記基板上に形成するステップと、
前記少なくとも第１及び第２の電極に接触するための少なくとも第１及び第２の開口を具備する第１の絶縁層を前記少なくとも第１及び第２の電極の上にそれぞれ形成するステップと、
前記少なくとも第１及び第２の開口間を絶縁する絶縁壁を前記第１の絶縁層の上に形成するステップと、
前記少なくとも第１及び第２の電極に接触するために前記少なくとも第１及び第２の開口内に延在する導電性材料で、前記絶縁壁の間の空間の少なくとも一部を満たすステップと、を有し、
前記絶縁壁及び前記導電性材料は、前記基板に頼らない構造的支持を発光素子に供給する、発光装置の製造方法。
【請求項２】
前記基板の一部又は全てを除去するステップを含む、請求項１記載の方法。
【請求項３】
前記導電性材料の少なくとも一部に接触するための少なくとも１つの更なる開口を具備する第２の絶縁層を前記導電性材料の上に形成するステップと、
前記少なくとも１つの更なる開口を通じて前記導電性材料の前記少なくとも一部に結合される少なくとも１つの導電性コンタクトを形成するステップと、を含む、請求項１記載の方法。
【請求項４】
第２の絶縁層を前記第１の絶縁層の上の第２の表面とは反対側の前記導電性材料の第１の表面上に形成するステップと、
前記導電性材料から電気的に絶縁されている少なくとも１つの熱コンタクトを前記導電性材料の前記第１の表面の上の第２の表面とは反対側の前記第２の絶縁層の第１の表面上に形成するステップと、を含む、請求項１記載の方法。
【請求項５】
前記導電性材料の少なくとも一部が、前記発光装置の少なくとも１つの外縁まで延在している、請求項１記載の方法。
【請求項６】
前記絶縁壁は、少なくとも１００ミクロンの高さを有する樹脂壁である、請求項１記載の方法。
【請求項７】
前記発光構造は、複数の発光素子を含む、請求項１記載の方法。
【請求項８】
前記絶縁壁を形成するステップは、前記複数の発光素子の電極間に電気的な絶縁を供給するステップを含む、請求項７記載の方法。
【請求項９】
複数の発光装置が、前記基板上に形成され、前記方法は、前記複数の発光装置を単一化するステップを含む、請求項１記載の方法。
【請求項１０】
前記第１の絶縁層とは反対の方向において、前記発光構造を越えて波長変換層を形成するステップを含む、請求項１記載の方法。
【請求項１１】
前記発光構造を越えてレンズ素子を形成するステップを含む、請求項１記載の方法。
【請求項１２】
少なくとも第１及び第２の電極を含む発光構造と、
所望の光出力方向とは反対の方向において、それぞれ、前記少なくとも第１及び第２の電極に接触するための少なくとも第１及び第２の開口を具備する、前記第１及び第２の電極の上の第１の絶縁層と、
壁内部の空間を形成し、各空間及び周囲の壁が、前記少なくとも第１及び第２の電極に接触するために前記少なくとも第１及び第２の開口へ延在する導電性シード層を含み、且つ、前記少なくとも第１及び第２の開口間を絶縁する、前記絶縁層の上の複数の絶縁壁と、
前記少なくとも第１及び第２の電極に電気的な接触を供給する、前記導電性シード層上に配置された導電性材料と、を有し、
前記絶縁壁及び前記導電性材料は、構造的支持を発光素子に供給する、発光装置。
【請求項１３】
前記導電性材料の少なくとも一部に接触するための少なくとも１つの更なる開口を具備する、前記導電性材料の上の第２の絶縁層と、
前記少なくとも１つの更なる開口を通じて前記導電性材料の前記少なくとも一部に結合される少なくとも１つの導電性コンタクトと、を含む、請求項１２記載の装置。
【請求項１４】
前記第１の絶縁層の上の第２の表面とは反対側の前記導電性材料の第１の表面上の第２の絶縁層と、
前記導電性材料から電気的に絶縁されている、前記導電性材料の前記第１の表面の上の第２の表面とは反対側の前記第２の絶縁層の第１の表面上の少なくとも１つの熱コンタクトと、を含む、請求項１２記載の装置。
【請求項１５】
前記導電性材料の少なくとも一部が、前記発光装置の少なくとも１つの外縁まで延在している、請求項１２記載の装置。
【請求項１６】
前記絶縁壁は、少なくとも１００ミクロンの高さを有する、請求項１２記載の装置。
【請求項１７】
前記発光構造は、複数の発光素子を含む、請求項１２記載の装置。
【請求項１８】
前記複数の発光素子の電極間に電気的な絶縁を含む、請求項１７記載の装置。
【請求項１９】
波長変換層を含む、請求項１２記載の装置。
【請求項２０】
レンズ素子を含む、請求項１２記載の装置。
【請求項２１】
前記絶縁層の上のベース表面と前記ベース表面の反対側の上面とを持つ前記絶縁壁の形成後に、前記絶縁壁の前記上面を超えて延在するシード層を形成し、
前記絶縁壁間の空間の少なくとも一部を導電性材料で満たした後、前記絶縁壁の前記上面から前記シード層を除去する、請求項１記載の方法。
【手続補正書】
【提出日】平成26年11月19日(2014.11.19)
【手続補正１】
【補正対象書類名】明細書
【補正対象項目名】０００６
【補正方法】変更
【補正の内容】
【０００６】
【図１】本発明の一実施形態に従って形成されたＬＥＤコネクタ組立体を上から見た斜視図である。
【図２】本発明の一実施形態に従って形成されたハウジングを下から見た斜視図である。
【図３】本発明の一実施形態に従って形成されたＬＥＤパッケージアレーパネルを上から見た斜視図である。
【図４】図１に示されるＬＥＤパッケージアレーパネルから取り外されたＬＥＤパッケージを上から見た斜視図である。
【図５】図４に示されたＬＥＤパッケージの断面図である。
【図６】図１に示されると共にヒートシンクに結合されたＬＥＤコネクタ組立体の断面図である。
【図７】本発明の別の実施形態に従って形成されたＬＥＤコネクタ組立体を上から見た分解斜視図である。
【図８】本発明の別の実施形態に従って形成されたＬＥＤパッケージを上から見た斜視図である。
【図９】本発明の別の実施形態に従って形成されたＬＥＤパッケージを上から見た斜視図である。
【手続補正２】
【補正対象書類名】特許請求の範囲
【補正対象項目名】全文
【補正方法】変更
【補正の内容】
【特許請求の範囲】
【請求項１】
内部にキャビティ（１３４）が形成されたハウジング（１０２）と、
電源からの電線を受容するよう前記ハウジングに配置されたコネクタインタフェース（１２０）と、
ＬＥＤダイ（１１６）に結合された少なくとも１個のＬＥＤ（１１８）を有するＬＥＤダイと
を具備し、
前記ＬＥＤダイは、前記ハウジングの前記キャビティ内に取り外し可能に受容され、
前記ＬＥＤダイは、前記少なくとも１個のＬＥＤに電力を供給するよう前記コネクタインタフェースに電気接続されることを特徴とするＬＥＤコネクタ組立体。
【請求項２】
前記ハウジングはラッチ（１３６）を具備し、
前記ラッチは、前記ＬＥＤダイに形成されたラッチ面（１５２）に結合して前記ＬＥＤダイを前記キャビティ内に保持することを特徴とする請求項１記載のＬＥＤコネクタ組立体。
【請求項３】
前記ＬＥＤコネクタ組立体は、前記コネクタインタフェースから前記キャビティ内に延びるコンタクト指（１３８）をさらに具備し、
前記ＬＥＤダイは、前記ＬＥＤに電気接続されたコンタクトパッド（１６２）を具備し、
前記コンタクト指は前記コンタクトパッドに電気的に係合することを特徴とする請求項１記載のＬＥＤコネクタ組立体。
【請求項４】
前記ハウジングは、該ハウジングを貫通する開口（１１４）を具備し、
前記少なくとも１個のＬＥＤは、前記ＬＥＤダイが前記キャビティ内に受容される際に前記開口内に配置されることを特徴とする請求項１記載のＬＥＤコネクタ組立体。
【請求項５】
前記ＬＥＤコネクタ組立体は、前記ハウジングに結合されたレンズ（１２４）をさらに具備し、
前記レンズは、前記少なくとも１個のＬＥＤと整列し、前記少なくとも１個のＬＥＤから発せられる光の焦点を絞ることを特徴とする請求項１記載のＬＥＤコネクタ組立体。
【請求項６】
前記ＬＥＤコネクタ組立体はヒートシンク（１８０）をさらに具備し、
前記ＬＥＤダイは、前記ハウジング及び前記ヒートシンク間に隙間（１８４）が形成されるように前記ヒートシンク上に配置されることを特徴とする請求項１記載のＬＥＤコネクタ組立体。
【請求項７】
前記キャビティは、前記ハウジングの下面（１０６）に形成され、
前記ＬＥＤダイは、前記少なくとも１個のＬＥＤが前記ハウジングの上面（１０４）の開口内に配置されるように前記ハウジングの前記下面から該ハウジング内に挿入されることを特徴とする請求項１記載のＬＥＤコネクタ組立体。
【請求項８】
前記キャビティは、前記ハウジングの上面に形成され、
前記ＬＥＤダイは、前記少なくとも１個のＬＥＤが前記ハウジングの前記上面の開口内に配置されるように前記ハウジングの前記上面から該ハウジング内に挿入されることを特徴とする請求項１記載のＬＥＤコネクタ組立体。
【手続補正３】
【補正対象書類名】図面
【補正対象項目名】図７
【補正方法】変更
【補正の内容】
【図７】
2014503120.tif 000001
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
尾側（ｃａｕｄａｌ  ｔｙｐｅ）ホメオボックス２（Ｃｄｘ２）、Ｎａｎｏｇ、ニューロゲニン３（Ｎｇｎ３）、レチノイン酸受容体ベータ（ＲＡＲβ）、レチノイドＸ受容体アルファ（ＲＸＲα）、レチノイドＸ受容体ベータ（ＲＸＲβ）、細胞性レチノイン酸結合タンパク質２（ＣＲＡＢＰ−２）、細胞性レチノール結合タンパク質１（ＣＲＢＰ−１）、レチンアルデヒドデヒドロゲナーゼ２（ＲＡＬＤＨ−２）またはレチンアルデヒドデヒドロゲナーゼ３（ＲＡＬＤＨ−３）の１またはそれより多くの転写物を発現する、単離神経幹細胞。
【請求項２】
トロホブラスト組織から得られる幹細胞から製造される、請求項１の単離神経幹細胞。
【請求項３】
ヒトである、請求項１または２の単離神経幹細胞。
【請求項４】
１またはそれより多い免疫特権特性を有する、請求項１〜３のいずれかの単離神経幹細胞。
【請求項５】
前記の１またはそれより多い免疫特権特性が、ＣＤ３３発現またはＣＤ１３３発現の非存在を含む、請求項４の単離神経幹細胞。
【請求項６】
哺乳類の疾患もしくは障害の治療または防止において使用するための化合物をスクリーニングする方法であって：
ａ．請求項１〜５のいずれかの単離神経幹細胞と前記化合物を接触させ；そして
ｂ．前記単離神経幹細胞における、少なくとも１つの遺伝子、転写物またはタンパク質の活性における変化を検出する
工程を含む、前記方法。
【請求項７】
前記単離神経幹細胞における、少なくとも１つの遺伝子、転写物またはタンパク質の前記活性が、前記化合物と接触させなかった匹敵する単離神経幹細胞に比較した際、減少している、請求項６の方法。
【請求項８】
前記単離神経幹細胞における、少なくとも１つの遺伝子、転写物またはタンパク質の前記活性が、前記化合物と接触させなかった匹敵する単離神経幹細胞に比較した際、増加している、請求項６の方法。
【請求項９】
前記疾患が、パーキンソン病、アルツハイマー病、ハンチントン病、筋萎縮性側索硬化症、フリードライヒ失調症、レビー小体病、脊髄性筋萎縮症、多系統萎縮症、認知症、統合失調症、麻痺、多発性硬化症、脊髄傷害、脳傷害、脳神経障害、末梢性感覚ニューロパシー、癲癇、プリオン病、クロイツフェルト−ヤコブ病、アルパース病、小脳／脊髄小脳変性、バッテン病、皮質基底核変性、ベル麻痺、ギラン−バレー症候群、ピック病、および自閉症である、請求項６〜８のいずれかの方法。
【請求項１０】
請求項１〜５のいずれかの単離幹細胞から分化した免疫原性が減少した神経細胞を製造する方法であって：
ｃ．前記単離神経幹細胞を誘導薬剤と接触させ；そして
ｄ．前記単離神経幹細胞において、誘導薬剤で、１またはそれより多いタンパク質を調節し、ここで１またはそれより多いタンパク質が、Ｗｎｔ２Ｂ、Ｆｚｄ６、Ｄｖｌ３、ＦＲＡＴ１、ＧＳＫ３β、ＨＤＡＣ６、β−カテニン、Ｇαｑ／１１、Ｇβ、ＲＸＲα、ＲＡＲβ、ＧＬｕＲ１、ＰＩ３Ｋ、ＡＫｔ１、ＡＫｔ２、ＡＫｔ３、ｍＴＯＲ、ＥＩＦ４ＥＢＰ、ＣＲＥＢ１、ＴＨ（チロシンヒドロキシラーゼ）、ＰＬＣ−β、ＰＩＰ２、ＣａＭＫＩＩ、ＥＩＦ４Ｂ、パーキン、ＳＮＣＡ、チューブリン、カルシニューリン、ＣＲＭＰ−２、ＮＦＡＴ１、インポーチン、ＬＥＦ１、Ｐｉｔｘ２、ＭＥＦ２Ａ、またはＥＰ３００を含む
工程を含む、前記方法。
【請求項１１】
請求項１０の方法であって、ここで前記免疫原性が減少した神経細胞が、ドーパミン産生細胞、ドーパミン作動性ニューロン、単極ニューロン、双極ニューロン、多極ニューロン、グルタミン作動性ニューロン、セロトニン作動性ニューロン、ＧＡＢＡ作動性（ガンマアミノ酪酸）ニューロン、錐体細胞、プルキンエ細胞、前角細胞、バスケット細胞、ベッツ細胞、レンショウ細胞、顆粒細胞、ＧＲＰ細胞、ＮＲＰ細胞、ＭＮＳ細胞、ＡＳＴ細胞、ＴＧＣ細胞、または中型有棘細胞の表現型を有する、方法。
【請求項１２】
免疫原性が減少した細胞が、哺乳類において免疫反応を誘導しないか、または免疫反応を阻害する、請求項１０または１１の方法。
【請求項１３】
請求項１０〜１２のいずれかの方法であって、前記誘導薬剤が、レチノイン酸、ニコチンアミド、ベータ−メルカプトエタノール、ビタミンＢ１２、ヘパリン、プトレシン、ビオチン、Ｆｅ２＋、ブチル化ヒドロキシアニソール、バルプロ酸、フォルスコリン、５−アザシチジン、インドメタシン、イソブチルメチルキサンチン、またはインスリンを含む、方法。
【請求項１４】
請求項１０〜１３のいずれかの方法であって、ここで前記免疫原性が減少した神経細胞が、ドーパミン、グルタミン酸ＮＭＤＡ受容体のサブユニット、シナプシンＩ、カルシウムチャネルマーカー、ＧＡＰ−４３、電位依存性Ｋ＋チャネル、電位依存性Ｃａ＋チャネル、または電位依存性Ｎａ＋チャネルの発現を含む１またはそれより多いニューロン特性を持つ、方法。
【請求項１５】
少なくとも１つの単離神経幹細胞を哺乳類に投与することを含む、神経学的障害を治療する必要がある哺乳動物において神経学的障害を治療することにおける使用のための、請求項１の単離神経幹細胞であって、ここで前記単離神経幹細胞は免疫特権を有する、単離神経幹細胞。
【請求項１６】
請求項１５の単離神経幹細胞であって、前記哺乳動物が、マウス、ラット、ブタ、イヌ、サル、オランウータン、類人猿（ａｐｅ）、またはヒトである、請求項１５の単離神経幹細胞。
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
ヒト免疫グロブリン重鎖結合タンパク質（Ｂｉｐ）の改変フラグメントを含むポリペプチドシグナル配列。
【請求項２】
ヒト免疫グロブリン重鎖結合タンパク質（Ｂｉｐ）の改変フラグメントが、配列番号２０のアミノ酸配列を含む、請求項１に記載のポリペプチドシグナル配列。
【請求項３】
ヒト免疫グロブリン重鎖結合タンパク質（Ｂｉｐ）の改変フラグメントが、配列番号２１のアミノ酸配列を含む、請求項１に記載のポリペプチドシグナル配列。
【請求項４】
ヒト免疫グロブリン重鎖結合タンパク質（Ｂｉｐ）の改変フラグメントが、配列番号２２のアミノ酸配列を含む、請求項１に記載のポリペプチドシグナル配列。
【請求項５】
ヒト免疫グロブリン重鎖結合タンパク質（Ｂｉｐ）の改変フラグメントが、配列番号２３のアミノ酸配列を含む、請求項１に記載のポリペプチドシグナル配列。
【請求項６】
異種ポリペプチドに作動可能に連結されたヒト免疫グロブリン重鎖結合タンパク質（Ｂｉｐ）ポリペプチドシグナル配列の改変フラグメントを含む融合タンパク質。
【請求項７】
ヒト免疫グロブリン重鎖結合タンパク質（Ｂｉｐ）ポリペプチドシグナル配列の改変フラグメントが、配列番号２０のアミノ酸配列を含む、請求項６に記載の融合タンパク質。
【請求項８】
ヒト免疫グロブリン重鎖結合タンパク質（Ｂｉｐ）ポリペプチドシグナル配列の改変フラグメントが、配列番号２１のアミノ酸配列を含む、請求項６に記載の融合タンパク質。
【請求項９】
ヒト免疫グロブリン重鎖結合タンパク質（Ｂｉｐ）ポリペプチドシグナル配列の改変フラグメントが、配列番号２２のアミノ酸配列を含む、請求項６に記載の融合タンパク質。
【請求項１０】
ヒト免疫グロブリン重鎖結合タンパク質（Ｂｉｐ）ポリペプチドシグナル配列の改変フラグメントが、配列番号２３のアミノ酸配列を含む、請求項６に記載の融合タンパク質。
【請求項１１】
異種ポリペプチドが、一つ以上の酵素、一つ以上の生物学的応答修飾物質、一つ以上の毒素、一つ以上の抗体、一つ以上の異種ポリペプチドのフラグメント、またはそのいずれかの組み合わせを含む、請求項６から１０のいずれか一項に記載の融合タンパク質。
【請求項１２】
異種ポリペプチドが、次のもの：酸性β−グルコセレブロシダーゼ、酸性α−ガラクトシダーゼ、酸性α−グルコシダーゼ、プロインスリン、インスリン様成長ホルモン−２（ＩＧＦ−２）、インターフェロン、治療的抗体およびインスリン様成長ホルモン−１（ＩＧＦ−１）の一つ以上を含む、請求項７から１０のいずれか一項に記載の融合タンパク質。
【請求項１３】
タンパク質発現ベクターであって、（ａ）第一ＤＮＡ配列に作動可能に連結されたプロモーターであって、ヒト免疫グロブリン重鎖結合タンパク質（Ｂｉｐ）ポリペプチドシグナル配列の改変フラグメントをコードしている、プロモーター、および（ｂ）前記第一ＤＮＡ配列にインフレームで融合している第二ＤＮＡ配列であって、異種ポリペプチドをコードしている第二ＤＮＡ配列、を含むタンパク質発現ベクター。
【請求項１４】
第一ＤＮＡ配列が、配列番号２０、配列番号２１、配列番号２２、または配列番号２３のアミノ酸配列を含むヒト免疫グロブリン重鎖結合タンパク質（Ｂｉｐ）ポリペプチドシグナル配列の改変フラグメントをコードしている、請求項１３に記載のタンパク質発現ベクター。
【請求項１５】
第二ＤＮＡ配列が、酸性β−グルコセレブロシダーゼ、酸性α−ガラクトシダーゼ、酸性α−グルコシダーゼ、プロインスリン、インスリン様成長ホルモン−２（ＩＧＦ−２）、インターフェロン、治療的抗体またはインスリン様成長ホルモン−１（ＩＧＦ−１）をコードしている、請求項１４に記載のタンパク質発現ベクター。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
医薬的に許容される担体、及び以下の３‐メタンスルホニルプロピオニトリルの精製された化合物：
【化１】
2014503533.tif 000001
又はその医薬的に許容される塩若しくはその溶媒和物を含む医薬組成物であって、ここで、前記化合物が少なくとも９０％（ｗ／ｗ）の純度を有する、医薬組成物。
【請求項２】
前記化合物が、少なくとも９５％（ｗ／ｗ）の純度である、請求項１に記載の医薬組成物。
【請求項３】
局所適用のための形態であり、及び前記化合物が、約０．５〜１０％（ｗ／ｗ）の量である、請求項１に記載の医薬組成物。
【請求項４】
ゲル、クリーム、ローション、液体、エマルション、軟膏、スプレー、溶液、又は懸濁物の形態である、請求項１に記載の医薬組成物。
【請求項５】
さらにジエチレングリコールモノエチルエーテルを含む、請求項４に記載の医薬組成物。
【請求項６】
タブレット、カプセル、顆粒、細顆粒、粉末、シロップ、坐薬、又は注射用溶液の形態である、請求項１に記載の医薬組成物。
【請求項７】
炎症を処置するための請求項１に記載の医薬組成物。
【請求項８】
急性若しくは慢性腫脹、疼痛、若しくは発赤により特徴付けられる炎症の限局性発現の症状を軽減し又は緩和するための、請求項７に記載の医薬組成物。
【請求項９】
前記医薬組成物が局所投与（ｌｏｃａｌ ａｄｍｉｎｉｓｔｒａｔｉｏｎ）又は全身投与により投与される、請求項７に記載の医薬組成物。
【請求項１０】
前記医薬組成物が局所投与（ｔｏｐｉｃａｌ ａｄｍｉｎｉｓｔｒａｔｉｏｎ）により投与される、請求項９に記載の医薬組成物。
【請求項１１】
疼痛を処置するための請求項１に記載の医薬組成物。
【請求項１２】
炎症及び／又は炎症性骨格若しくは筋肉疾患又は症状に関連する疼痛を処置するための請求項１に記載の医薬組成物であって、ここで、前記骨格若しくは筋肉疾患又は症状が、筋骨格捻挫、筋骨格挫傷、腱障害、末梢神経根症（ｐｅｒｉｐｈｅｒａｌ ｒａｄｉｃｕｌｏｐａｔｈｙ）、関節リウマチ、若年性関節炎、痛風、強直性脊椎炎、乾癬性関節炎、全身性エリテマトーデス、肋軟骨炎、腱炎、滑液包炎、顎関節症候群、及び線維筋痛症からなる群から選択される、医薬組成物。
【請求項１３】
炎症及び／又は関節、靭帯、腱、骨、筋肉、若しくは筋膜に関連する疼痛を処置するための請求項１に記載の医薬組成物。
【請求項１４】
炎症及び／又は炎症性皮膚疾患若しくは障害に関連する疼痛を処置するための請求項１に記載の医薬組成物であって、ここで、前記炎症性皮膚疾患若しくは障害が、皮膚炎又は乾癬である、医薬組成物。
【請求項１５】
前記皮膚炎がアトピー皮膚炎又は接触皮膚炎である、請求項１４に記載の医薬組成物。
【請求項１６】
前記医薬組成物が局所投与により投与される、請求項１４に記載の医薬組成物。
【誤訳訂正書】
【提出日】平成26年12月16日(2014.12.16)
【誤訳訂正１】
【訂正対象書類名】特許請求の範囲
【訂正対象項目名】全文
【訂正方法】変更
【訂正の内容】
【特許請求の範囲】
【請求項１】
GLP-1アゴニストとN-(8-(2-ヒドロキシベンゾイル)アミノ)カプリル酸の塩とを含む経口投与用固形組成物であって、前記N-(8-(2-ヒドロキシベンゾイル)アミノ)カプリル酸の塩の量が少なくとも0.6mmol又は少なくとも0.8mmolであり、前記GLP-1アゴニストが1つの置換基を含む又は含まない、組成物。
【請求項２】
GLP-1アゴニストとN-(8-(2-ヒドロキシベンゾイル)アミノ)カプリル酸の塩とを含む経口投与用固形組成物であって、少なくとも60%(w/w)の前記N-(8-(2-ヒドロキシベンゾイル)アミノ)カプリル酸の塩を含む、組成物。
【請求項３】
錠剤の形態である、請求項1又は2に記載の組成物。
【請求項４】
前記N-(8-(2-ヒドロキシベンゾイル)アミノ)カプリル酸の塩が、N-(8-(2-ヒドロキシベンゾイル)アミノ)カプリル酸ナトリウム(SNAC)である、請求項1から3のいずれか一項に記載の組成物。
【請求項５】
組成物におけるGLP-1アゴニストとN-(8-(2-ヒドロキシベンゾイル)アミノ)カプリル酸の塩との間のモル比は、10未満である、請求項1から4のいずれか一項に記載に組成物。
【請求項６】
前記N-(8-(2-ヒドロキシベンゾイル)アミノ)カプリル酸の塩の量が、0.6〜2.1mmolの範囲である、請求項1から5のいずれか一項に記載の組成物。
【請求項７】
前記N-(8-(2-ヒドロキシベンゾイル)アミノ)カプリル酸の塩の量が、少なくとも0.6mmolである、請求項1から6のいずれか一項に記載の組成物。
【請求項８】
前記N-(8-(2-ヒドロキシベンゾイル)アミノ)カプリル酸の塩の量が、2.1mmol以下である、請求項1から7のいずれか一項に記載の組成物。
【請求項９】
前記N-(8-(2-ヒドロキシベンゾイル)アミノ)カプリル酸の塩の量が、1.0mmolである、請求項1から8のいずれか一項に記載の組成物。
【請求項１０】
少なくとも60%(w/w)のN-(8-(2-ヒドロキシベンゾイル)アミノ)カプリル酸の塩を含む、請求項1から9のいずれか一項に記載の組成物。
【請求項１１】
前記SNACの量が、少なくとも175mgである、請求項1から10のいずれか一項に記載の組成物。
【請求項１２】
前記SNACの量が、575mg以下である、請求項1から11のいずれか一項に記載の組成物。
【請求項１３】
前記SNACの量が、300mgである、請求項1から12のいずれか一項に記載の組成物。
【請求項１４】
GLP-1アゴニストの量が、0.01mg〜100mgの範囲である、請求項1から13のいずれか一項に記載の組成物。
【請求項１５】
前記GLP-1アゴニストの量が、1〜20mgの範囲である、請求項1から14のいずれか一項に記載の組成物。
【請求項１６】
前記GLP-1アゴニストが、GLP-1(7-37)、GLP-1(7-36)アミド、エキセンディン-4、又は10個以下の置換、欠失、付加及び/若しくは挿入を含むそのアナログであり、前記GLP-1アゴニストが1個の置換基を含む又は含まない、請求項1から15のいずれか一項に記載の組成物。
【請求項１７】
前記置換基が、脂肪酸又は脂肪二酸を含む、請求項1から16のいずれか一項に記載の組成物。
【請求項１８】
前記置換基が、C16、C18又はC20脂肪酸を含む、請求項1〜17のいずれか一項に記載の組成物。
【請求項１９】
前記置換基が、式(X)
【化１】
2014503526.tif 000001
(式中、nは少なくとも13である)
を含む、請求項1から18のいずれか一項に記載の組成物。
【請求項２０】
前記置換基が、1又は複数の8-アミノ-3,6-ジオキサオクタン酸(OEG)を含む、請求項1から19のいずれか一項に記載の組成物。
【請求項２１】
GLP-1アゴニストが、セマグルチドである、請求項1から20のいずれか一項に記載の組成物。
【請求項２２】
GLP-1の量が、0.05〜25μmolの範囲である、請求項1から21のいずれか一項に記載の組成物。
【請求項２３】
前記N-(8-(2-ヒドロキシベンゾイル)アミノ)カプリル酸の塩が、1つの一価カチオン、2つの一価カチオン、又は1つの二価カチオンを含む、請求項1から22のいずれか一項に記載の組成物。
【請求項２４】
前記N-(8-(2-ヒドロキシベンゾイル)アミノ)カプリル酸の塩が、N-(8-(2-ヒドロキシベンゾイル)アミノ)カプリル酸のナトリウム塩、カリウム塩、及びカルシウム塩からなる群から選択される、請求項1から23のいずれか一項に記載の組成物。
【請求項２５】
錠剤の重量が、175〜1000mgの範囲である、請求項1から24のいずれか一項に記載の組成物。
【請求項２６】
少なくとも1種の追加の、薬学的に許容され得る賦形剤を含む、請求項1から25のいずれか一項に記載の組成物。
【請求項２７】
医薬として使用するための、請求項1から26のいずれか一項に記載の組成物。
【請求項２８】
II型糖尿病又は肥満を治療するために使用するための、請求項1から27のいずれか一項に記載の組成物。
【誤訳訂正２】
【訂正対象書類名】明細書
【訂正対象項目名】００１６
【訂正方法】変更
【訂正の内容】
【００１６】
いくつかの実施形態において、GLP-1アゴニストは、ペプチドに共有結合した1つの置換基を含む。いくつかの実施形態において、置換基は、脂肪酸又は脂肪二酸を含む。いくつかの実施形態において、置換基は、C16、C18又はC20脂肪酸を含む。いくつかの実施形態において、置換基は、C16、C18又はC20脂肪二酸を含む。いくつかの実施形態において、置換基は、式(X)
【誤訳訂正３】
【訂正対象書類名】明細書
【訂正対象項目名】００６９
【訂正方法】変更
【訂正の内容】
【００６９】
GLP-1
19.GLP-1アゴニストの量が、0.01mg〜100mgの範囲内である、先行する実施形態のいずれか一つに記載の組成物。
20.GLP-1アゴニストが1つの置換基を含む、先行する実施形態のいずれか一つに記載の組成物。
21.前記置換基が、脂肪酸又は脂肪二酸を含む、先行する実施形態のいずれか一つに記載の組成物。
22.前記置換基が、C16、C18又はC20脂肪酸を含む、先行する実施形態のいずれか一つに記載の組成物。
23.前記置換基が、C16、C18又はC20脂肪二酸を含む、先行する実施形態のいずれか一つに記載の組成物。
24.前記置換基が、式(X)
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
有効量のピリドスチグミンを含む、閉塞性睡眠時無呼吸（ＯＳＡ）を処置するための医薬組成物であって、有効量のピリドスチグミンが、睡眠前に必要とする被験者に投与する際に、睡眠中の少なくとも１時間にわたり、２〜１５０ng/mlの範囲で被験者にピリドスチグミンの標的血清濃度をもたらすように選択される、医薬組成物。
【請求項２】
標的血清濃度が３〜６０ng/mlの範囲である、請求項１記載の医薬組成物。
【請求項３】
標的血清濃度が３〜４５ng/mlの範囲である、請求項１記載の医薬組成物。
【請求項４】
標的血清濃度が３〜３０ng/mlの範囲である、請求項１記載の医薬組成物。
【請求項５】
標的血清濃度が３〜１５ng/mlの範囲である、請求項１記載の医薬組成物。
【請求項６】
標的血清濃度が睡眠中の少なくとも３時間維持される、請求項１記載の医薬組成物。
【請求項７】
３０〜３６０mgのピリドスチグミンを含む、請求項１記載の医薬組成物。
【請求項８】
被験者に、睡眠前の２時間以内に投与される、請求項１記載の医薬組成物。
【請求項９】
被験者に、単回投与で投与される、請求項１記載の医薬組成物。
【請求項１０】
さらに、医薬的に許容可能な担体又は希釈剤を含む、請求項１記載の医薬組成物。
【請求項１１】
被験者に、経口投与形態で投与される、請求項１記載の医薬組成物。
【請求項１２】
被験者に、胃腸吸収のために投与される、請求項１記載の医薬組成物。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
アミノピリジン又はその薬学的に許容される塩を含む、脳性麻痺(CP)の患者のCPの徴候若しくは症状又はCPによる障害若しくは変質の治療剤であって、CPの徴候若しくは症状又はCPによる障害若しくは変質が精神状態の障害ではない、前記治療剤。
【請求項２】
前記患者がヒトである、請求項1に記載の治療剤。
【請求項３】
前記アミノピリジン又はその薬学的に許容される塩が、治療上有効量のアミノピリジン又はその薬学的に許容される塩と薬学的に許容される担体とを含む医薬組成物中に存在する、請求項1又は２に記載の治療剤。
【請求項４】
前記アミノピリジン又はその薬学的に許容される塩がモノ-アミノピリジンである、請求項1から3のいずれか一項に記載の治療剤。
【請求項５】
前記アミノピリジン又はその薬学的に許容される塩がジ-アミノピリジンである、請求項1から3のいずれか一項に記載の治療剤。
【請求項６】
前記アミノピリジン又はその薬学的に許容される塩が、4-アミノピリジン、3-アミノピリジン又は3,4-ジアミノピリジンである、請求項1から3のいずれか一項に記載の治療剤。
【請求項７】
前記アミノピリジン又はその薬学的に許容される塩が4-アミノピリジンである、請求項6に記載の治療剤。
【請求項８】
前記治療が、アミノピリジン又はその薬学的に許容される塩を投与する前にCPの徴候若しくは症状を評価するステップ、及びアミノピリジン又はその薬学的に許容される塩を投与した後に同じCPの徴候若しくは症状を評価するステップを含む、請求項1から7のいずれか一項に記載の治療剤。
【請求項９】
前記アミノピリジン又はその薬学的に許容される塩が徐放性組成物中にある、請求項1から8のいずれか一項に記載の治療剤。
【請求項１０】
前記治療が、前記アミノピリジン又はその薬学的に許容される塩の前記患者への1日1回又は1日2回の投与のステップを含む、請求項1から9のいずれか一項に記載の治療剤。
【請求項１１】
前記アミノピリジン又はその薬学的に許容される塩が、1日1回又は1日2回投与のため、1〜20mg、5〜20mg、5〜15mg、5〜10mg又は7.5〜10mgの範囲の量である、請求項1から10のいずれか一項に記載の治療剤。
【請求項１２】
前記アミノピリジン又はその薬学的に許容される塩が、1日1回又は1日2回投与のため10mgの量である、請求項11に記載の治療剤。
【請求項１３】
前記治療が、アミノピリジン又はその薬学的に許容される塩の、単一用量の徐放性組成物としての投与を含む、請求項9に記載の治療剤。
【請求項１４】
前記アミノピリジン又はその薬学的に許容される塩を経口投与用に製剤化する、請求項1から13のいずれか一項に記載の治療剤。
【請求項１５】
前記アミノピリジン又はその薬学的に許容される塩を錠剤又はカプセル剤の形態に製剤化する、請求項14に記載の治療剤。
【請求項１６】
CPの前記徴候若しくは症状又はCPによる前記障害若しくは変質が感覚運動障害である、請求項1から15のいずれか一項に記載の治療剤。
【請求項１７】
前記感覚運動障害が歩行障害、四肢機能の障害、下肢機能の障害、下肢筋力の障害、筋緊張の障害、上肢機能の障害、上肢筋力の障害、手機能の障害、細かな手の協調の障害、握力の障害、バランス若しくは協調の障害、全身制御の障害、構音障害、顎機能の障害、咀嚼の障害又は顎関節の障害である、請求項16に記載の治療剤。
【請求項１８】
CPの前記徴候若しくは症状又はCPによる前記障害若しくは変質が運動機能障害である、請求項1から15のいずれか一項に記載の治療剤。
【請求項１９】
前記運動機能障害が、上肢若しくは下肢のものであるか、又は体幹の筋群にあるか、又は体位性筋系にある、請求項18に記載の治療剤。
【請求項２０】
CPの前記徴候若しくは症状又はCPによる前記障害若しくは変質が歩行又は移動機能障害である、請求項1から15のいずれか一項に記載の治療剤。
【請求項２１】
前記歩行又は移動機能障害が歩行速度の障害である、請求項20に記載の治療剤。
【請求項２２】
CPの前記徴候若しくは症状又はCPによる前記障害若しくは変質が、障害性筋緊張、障害性反射、障害性協調、痙直、不随意運動、障害性歩行、障害性バランス、筋肉量の低下、機能障害性筋力、発話機能障害、又は手の力若しくは手先の器用さの障害の少なくとも1種である、請求項1から15のいずれか一項に記載の治療剤。
【請求項２３】
アミノピリジンである、請求項1から22のいずれか一項に記載の治療剤。
【請求項２４】
アミノピリジンの薬学的に許容される塩である、請求項1から22のいずれか一項に記載の治療剤。
【請求項２５】
脳性麻痺(CP)のヒト患者のCPの徴候若しくは症状又はCPによる障害若しくは変質を治療するための医薬の製造のための、アミノピリジン又はその薬学的に許容される塩の使用であって、CPの徴候若しくは症状又はCPによる障害若しくは変質が精神状態の障害ではない、前記使用。